(57)【要約】【課題】便が肌に接触することを防止できる使い捨てのパンツ型おむつの提供。【解決手段】使い捨てのパンツ型おむつ１がパンツ型の肌被覆部１０の内面とおむつ着用者の肌との間に介在して便で肌が汚れることを防止可能なセパレータ２０を有する。セパレータ２０は、おむつ１の股下域６の底部から前胴周り域７と後胴周り域８とに向かって延びていて股下域６の両側縁部に固定されるシート片によって形成される。そのシート片は、股下域６の幅方向へ延びる前端縁部２１と後端縁部２２とを有する。これら前端縁部２１と後端縁部２２とは、股下域６の幅方向の中央部分において、肌被覆部１０の内面から離間し、かつ互いに分離不能に一体化する。【選択図】図３
2007296314.tif 000002
【特許請求の範囲】
【請求項１】
股下域と前記股下域の前方に形成された前胴周り域と前記股下域の後方に形成された後胴周り域とを有し、前記前胴周り域と前記後胴周り域との側縁部どうしが接合してパンツ型の肌被覆部が形成されており、前記肌被覆部の内面の側には、肌と便との接触を防止可能なセパレータが形成されている使い捨てのパンツ型おむつであって、
前記セパレータが、前記股下域の前後方向中央部から前記前胴周り域と前記後胴周り域とに向かって広がるとともに前記股下域の幅を二等分する前後方向中心線をまたいでいて前記前後方向中心線の両側において前記内面の側に固定されているシート片によって形成されており、前記シート片が、前記股下域における前記前胴周り域寄りの部分および前記前胴周り域のいずれかにおいて前記股下域の幅方向へ延びる前端縁部と前記股下域における前記後胴周り域寄りの部分および前記後胴周り域のいずれかにおいて前記股下域の幅方向へ延びる後端縁部とを有し、前記前端縁部と前記後端縁部とが前記幅方向の中央部分において前記内面から離間可能に形成されており、かつ前記前後方向中心線上において互いに分離不能に一体化していることを特徴とする前記パンツ型おむつ。
【請求項２】
前記股下域が前記パンツ型おむつの前後方向へ延びる両側縁部を有し、前記両側縁部のそれぞれが、脚周り開口を画成するとともに、脚周り弾性部材が伸長状態で取り付けられていて前記脚周り開口の周り方向へ伸長・収縮可能な脚周り弾性域を含み、前記セパレータの前記前端縁部と前記後端縁部とが、前記両側縁部にまで延びていて、前記脚周り弾性域における前記内面に接合している請求項１記載のパンツ型おむつ。
【請求項３】
前記股下域が前記パンツ型おむつの前後方向へ延びる両側縁部を有し、前記両側縁部のそれぞれが、脚周り開口を画成するとともに、脚周り弾性部材が伸長状態で取り付けられていて前記脚周り開口の周り方向へ伸長・収縮可能な脚周り弾性域を含み、前記セパレータの前記前端縁部と前記後端縁部とが、前記脚周り弾性域よりも前記前後方向中心線寄りにおいて前記内面に接合している請求項１記載のパンツ型おむつ。
【請求項４】
前記セパレータにおける前記前端縁部と前記後端縁部とのそれぞれが前記股下域の前記幅方向において伸長・収縮可能な前方弾性域と後方弾性域とのそれぞれを含んでいる請求項１〜３のいずれかに記載のパンツ型おむつ。
【請求項５】
前記セパレータは、前記セパレータを前記おむつの前後方向へ二分するように前記股下域の幅方向へ延びる接合線によって前記股下域の底部内面に接合している請求項１〜４のいずれかに記載のパンツ型おむつ。
【請求項６】
前記セパレータを形成している前記シート片が前記股下域において前記前胴周り域寄りに位置する前方シート片と、前記前方シート片とは別体であって前記股下域において前記後胴周り域寄りに位置する後方シート片とによって形成されており、前記前方シート片が前記前端縁部を有し、前記後方シート片が前記後端縁部を有している請求項１〜４のいずれかに記載のパンツ型おむつ。
【請求項７】
前記前方シート片は前記股下域の底部に前記前端縁部に並行する前方底縁部を有し、前記後方シート片は前記股下域の底部に前記後端縁部に並行する後方底縁部を有し、前記前方底縁部と前記後方底縁部とのそれぞれが前記股下域の幅方向へ延びる接合線によって前記股下域の底部内面に接合している請求項６記載のパンツ型おむつ。
【請求項８】
前記股下域は、前記幅方向の中央部分に粉砕パルプおよび高吸水性ポリマー粒子の少なくとも一方を含む体液吸収部を有し、かつ、前記体液吸収部の両側に不織布およびプラスチックフィルムの少なくとも一方を含んでいて前記体液吸収部よりも曲げ剛性の低いフラップ部を有し、前記脚周り弾性域が前記フラップ部に形成されている請求項２〜７のいずれかに記載のパンツ型おむつ。
【請求項９】
前記前胴周り域と前記後胴周り域とが剥離可能かつ再接合可能に接合していて、着用させようとするときには予めパンツ型の形状をとらせるものである請求項１〜８のいずれかに記載のパンツ型おむつ。
【発明の詳細な説明】
【技術分野】
【０００１】
この発明は、使い捨てのパンツ型おむつに関し、より詳しくは便が肌に接触することを防止可能な前記パンツ型おむつに関する。
【背景技術】
【０００２】
従来、便が肌に接触してその肌を汚すことがないようにする機能を備えた使い捨ておむつは公知である。例えば、特開２００２−１１０４４号公報（特許文献１）に開示のパンツ型おむつは、トップシートの上にスキンコンタクトシートを有し、そのスキンコンタクトシートの股下域には、開口部が形成されていて、その開口部を囲むように弾性部材が伸長状態で取り付けられている。その開口部をおむつ着用者の肛門と一致させておくことによって、便が排泄されると、その便は開口を通ってスキンコンタクトシートの下側へと進み、肌と接触することがない。
【特許文献１】特開２００２−１１０４４号公報
【発明の開示】
【発明が解決しようとする課題】
【０００３】
特許文献１に開示のおむつは、スキンコンタクトシートに形成された開口部と肛門とが一致していなければ、便が肌とスキンコンタクトシートとの間に侵入して、肌を著しく汚すことになりかねないという問題を有している。つまり、このおむつでは、それを着用させるときに、スキンコンタクトシートの開口部を肛門に一致させることが不可欠である。しかし、着用させたおむつにおける開口部と肛門とが一致しているか否かは、おむつの外側から確認することができない。また、スキンコンタクトシートには、尿を直接吸収体に吸収させるための切欠部が形成されているのであるが、切欠部を通過した尿が吸収体の表面上で便と混ざり合うことは避け難い。そして、尿と便とが混ざり合ったときには便の流動性が高くなり、便によって肌を汚す可能性が高まる。
【０００４】
従来のおむつにおけるこのような問題を鑑みて、この発明が課題とするところの一つは、おむつ着用者の肛門とおむつにおける便収容部との位置合わせが容易となるような新規おむつの提案である。
【０００５】
また、この発明が課題とするところの他の一つは、尿と便との混合を防止可能な新規おむつの提案である。
【０００６】
この発明が課題とするところのさらに他の一つは、脚周りからの体液の漏れを防止可能な新規おむつの提案である。
【課題を解決するための手段】
【０００７】
前記課題を解決するために、この発明が対象とするのは、股下域と前記股下域の前方に形成された前胴周り域と前記股下域の後方に形成された後胴周り域とを有し、前記前胴周り域と前記後胴周り域との側縁部どうしが接合してパンツ型の肌被覆部が形成されており、前記肌被覆部の内面の側には、肌と便との接触を防止可能なセパレータが形成されている使い捨てのパンツ型おむつである。
【０００８】
かかるパンツ型おむつにおいて、この発明が特徴とするところは、次のとおりである。前記セパレータは、前記股下域の前後方向中央部から前記前胴周り域と前記後胴周り域とに向かって広がるとともに前記股下域の幅を二等分する前後方向中心線をまたいでいて前記前後方向中心線の両側において前記内面の側に固定されているシート片によって形成されている。前記シート片は、前記股下域における前記前胴周り域寄りの部分および前記前胴周り域のいずれかにおいて前記股下域の幅方向へ延びる前端縁部と前記股下域における前記後胴周り域寄りの部分および前記後胴周り域のいずれかにおいて前記股下域の幅方向へ延びる後端縁部とを有し、前記前端縁部と前記後端縁部とが前記幅方向の中央部分において前記内面から離間可能に形成されており、かつ前記前後方向中心線上において互いに分離不能に一体化している。
【０００９】
この発明の実施態様の一つにおいて、前記股下域が前記パンツ型おむつの前後方向へ延びる両側縁部を有し、前記両側縁部のそれぞれが、脚周り開口を画成するとともに、脚周り弾性部材が伸長状態で取り付けられていて前記脚周り開口の周り方向へ伸長・収縮可能な脚周り弾性域を含み、前記セパレータの前記前端縁部と前記後端縁部とが、前記両側縁部にまで延びていて、前記脚周り弾性域における前記内面に接合している。
【００１０】
この発明の実施態様の他の一つにおいて、前記股下域が前記パンツ型おむつの前後方向へ延びる両側縁部を有し、前記両側縁部のそれぞれが、脚周り開口を画成するとともに、脚周り弾性部材が伸長状態で取り付けられていて前記脚周り開口の周り方向へ伸長・収縮可能な脚周り弾性域を含み、前記セパレータの前記前端縁部と前記後端縁部とが、前記脚周り弾性域よりも前記前後方向中心線寄りにおいて前記内面に接合している。
【００１１】
この発明の実施態様の他の一つにおいて、前記セパレータにおける前記前端縁部と前記後端縁部とのそれぞれが前記股下域の前記幅方向において伸長・収縮可能な前方弾性域と後方弾性域とのそれぞれを含んでいる。
【００１２】
この発明の実施態様の他の一つにおいて、前記セパレータは、前記セパレータを前記おむつの前後方向へ二分するように前記股下域の幅方向へ延びる接合線によって前記股下域の底部内面に接合している。
【００１３】
この発明の実施態様の他の一つにおいて、前記セパレータを形成している前記シート片が前記股下域において前記前胴周り域寄りに位置する前方シート片と、前記前方シート片とは別体であって前記股下域において前記後胴周り域寄りに位置する後方シート片とによって形成されており、前記前方シート片が前記前端縁部を有し、前記後方シート片が前記後端縁部を有している。
【００１４】
この発明の実施態様の他の一つにおいて、前記前方シート片は前記股下域の底部に前記前端縁部に並行する前方底縁部を有し、前記後方シート片は前記股下域の底部に前記後端縁部に並行する後方底縁部を有し、前記前方底縁部と前記後方底縁部とのそれぞれが前記股下域の幅方向へ延びる接合線によって前記股下域の底部内面に接合している。
【００１５】
この発明の実施態様の他の一つにおいて、前記股下域は、前記幅方向の中央部分に粉砕パルプおよび高吸水性ポリマー粒子の少なくとも一方を含む体液吸収部を有し、かつ、前記体液吸収部の両側に不織布およびプラスチックフィルムの少なくとも一方を含んでいて前記体液吸収部よりも曲げ剛性の低いフラップ部を有し、前記脚周り弾性域が前記フラップ部に形成されている。
【００１６】
この発明の実施態様のさらに他の一つにおいて、前記前胴周り域と前記後胴周り域とが剥離可能かつ再接合可能に接合していて、着用させようとするときには予めパンツ型の形状をとらせるものである。
【発明の効果】
【００１７】
この発明に係る使い捨てのパンツ型おむつは、便と肌との接触を防止するためのセパレータを有し、そのセパレータは、両側縁部がおむつの前後方向中心線の両側においておむつの内面に固定されていて、股下域の幅方向へ延びる前端縁部と後端縁部とを有している。これら前端縁部と後端縁部とは，股下域の幅方向の中央部分において、肌被覆部の内面から離間可能に形成されており、かつ、前後方向中心線上において分離不能に一体化している。このおむつを着用するときに、前後胴周り域を前後方向へ離間させて胴周り開口を広げると、前後方向中心線よりも右側に位置している前端縁部と後端縁部とが前後方向へ離間してこれら両端縁部の間に右脚を挿入することができ、前後方向中心線よりも左側に位置している前端縁部と後端縁部もまた前後方向へ離間してこれら両端縁部の間に左脚を挿入することができる。また、セパレータの前端縁部と肌被覆部の内面との間には開口が形成されて、その開口の内側に尿を排泄することが可能になり、セパレータの後端縁部と肌被覆部との間にも開口が形成されて、その開口の内側に便を排泄することが可能になる。尿と便とは、セパレータと内面との間に進入するので、これら排泄物によって肌を汚すということがない。また、セパレータは、股下域の底部において尿と便との混合を防止する仕切り壁としても作用する。
【００１８】
股下域の両側縁部のそれぞれが、伸長・収縮可能な脚周り弾性域を含み、セパレータの前端縁部と後端縁部とが脚周り弾性域における内面に接合している態様のおむつでは、胴周り開口を広げるときに、セパレータの前端縁部と後端縁部とが股下域の両側縁部を前後方向中心線に接近するように引っ張ると同時に、おむつ内面に対して起立させてって、その両側縁部に防漏堤を形成させることができる。
【００１９】
セパレータの前端縁部と後端縁部とのそれぞれが股下域の幅方向において伸長・収縮可能な前方弾性域と後方弾性域とのそれぞれを含む態様のこの発明では、セパレータおむつ着用者の脚周りのうちの内側に弾性的に密着可能になり、脚周りからの体液の漏れを防止することができる。
【００２０】
セパレータが、股下域の幅方向へ延びる接合線によって、股下域の底部内面に接合している態様のこの発明では、セパレータとおむつ内面との間に進入した尿と便との混合を確実に防止できるようになる。
【００２１】
この発明におけるその他の実施態様とそれらによって得られる効果とは、以下において説明される。
【発明を実施するための最良の形態】
【００２２】
添付の図面を参照してこの発明に係る使い捨てのパンツ型おむつの詳細を説明すると、以下のとおりである。
【００２３】
図１は、この発明に係るパンツ型おむつ１が着用状態にあるときの部分破断斜視図である。パンツ型おむつ１は、透液性の内面シート２と、不透液性の外面シート３と、これら両シート２，３間に介在する体液吸収性芯材４とによって形成されたパンツ型の肌被覆部１０を有する。肌被覆部１０は、股下域６と、股下域６の前方に形成された前胴周り域７と、股下域６の後方に形成された後胴周り域８とを有し、前後胴周り域７，８の側縁部分７ａ，８ａどうしが合掌状に重なり合い、図の上下方向へ間欠的に並ぶ接合域９において互いに溶着して、胴周り開口１１と一対の脚周り開口１２とが形成されている。胴周り開口１１の周縁部近傍では、内外面シート２，３の間にあって胴周り方向へ延びる複数条の胴周り弾性部材１４ａが内外面シート２，３の少なくとも一方に伸長状態で接合している。また、脚周り開口１２の周縁部１３の近傍では、内外面シート２，３の間にあって脚周り方向へ延びる複数条の脚周り弾性部材１４ｂが内外面シート２，３の少なくとも一方に伸長状態で接合して、脚周りに沿う環状の弾性域を形成している。
【００２４】
図２は、図１のパンツ型おむつ１の前後胴周り域７，８を接合域９において剥離し、パンツ型おむつ１の全体を双頭矢印Ｘで示す幅方向と、双頭矢印Ｘに直交する双頭矢印Ｙで示す前後方向とに展開して得られる展開おむつ１ａの部分破断平面図であって、図にはその展開おむつ１ａの内面が示されている。図２の肌被覆部１０は、砂時計型を呈しており、図１における胴周り開口１１の周縁部が前端縁部７ｂと後端縁部８ｂとになって現れており、脚周り開口１２の周縁部１３が股下域６の側縁部１３として現れている。側縁部１３のそれぞれは、展開おむつ１ａにおける股下域６の幅を二等分する前後方向中心線Ｃ−Ｃに向かって湾曲しているが、前後胴周り域７，８の側縁部７ａ，８ａのそれぞれは、側縁部１３につながるものではあるが、中心線Ｃ−Ｃに平行して前後方向Ｙへ延びている。芯材４もまた砂時計型のものであって、粉砕パルプと高吸水性ポリマー粒子との混合物４ａをティシュペーパを一例とする体液の吸収性と拡散性とに優れた被覆シート４ｂによって覆うことにより形成されている。展開おむつ１ａにおいて、肌被覆部１０の内面を形成している内面シート２の股下域６には、疎水性のシート材料、より好ましくは疎水性かつ不透液性のシート材料で形成されたセパレータ２０が取り付けられている。セパレータ２０は、股下域６の両側縁部１３のそれぞれにホットメルト接着剤２４を介して固定されている側縁部２３と、股下域６のうちの前胴周り域７寄りの部分で両側縁部１３のそれぞれにまで幅方向Ｘへ延びる前端縁部２１と、股下域６のうちの後胴周り域８寄りの部分で両側縁部１３のそれぞれにまで幅方向Ｘへ延びる後端縁部２２とを有し、側縁部２３を除くセパレータ２０の大部分は内面シート２に対して離間可能な非接合状態にある。前端縁部２１と後端縁部２２とは、セパレータ２０を折り返すことによって形成されたスリーブ２１ａと２２ａとを有する。これらスリーブ２１ａ，２２ａは、それぞれの内側に前方弾性部材２１ｂと後方弾性部材２２ｂとが伸長状態で取り付けられていて、側縁部１３どうしの間に延びる前方弾性域と後方弾性域とを形成している。これらの弾性域は脚周り弾性部材１４ｂが形成する弾性域と側縁部１３において交差している。前端縁部２１と後端縁部２２とはまた、肌被覆部１０の前後方向Ｙの寸法を二等分する幅方向中心線Ｄ−Ｄからの距離ＨｒとＨｆとがほぼ等しく、これら両端縁部２１，２２の近傍には前後方向中心線Ｃ−Ｃ上に仮想線で示される前方接合域２７と後方接合域２８とを有する。展開おむつ１ａが中心線Ｄ−Ｄに沿って内側に折り重ねられると、前方接合域２７と後方接合域２８とは符合し、互いに接合されることによって接合部３５（図３参照）を形成する。内面シート２と外面シート３との間に介在する芯材４は、股下域６から前後方向Ｙへ延びているもので、好ましくは図示の如く前端縁部２１と後端縁部２２とから延出している。かように形成されているセパレータ２０は、それが離間可能に向かい合う内面シート２との間に、前端縁部２１から後端縁部２２にまで延びるトンネル状またはポケット状ということのできる排泄物収容部３１を形成している。
【００２５】
図３は、図１のＩＩＩ−ＩＩＩ線断面図であって、ＩＩＩ−ＩＩＩ線は図２の前後方向中心線Ｃ−Ｃと重なり合う位置にある。パンツ型の肌被覆部１０は、前胴周り域７と後胴周り域８とが互いに側縁部７ａ，８ａにおいて接合している。股下域６は、Ｕ字状に湾曲するとともに、股下域６の側縁部１３が脚周り開口１２を画成している。セパレータ２０では、前端縁部２１と後端縁部２２とが前方接合域２７と後方接合域２８とにおいてホットメルト接着剤３２を介してまたは溶着することにより分離不能に接合して、接合部３５を形成している。セパレータ２０と内面シート２との間に形成された排泄物収容部３１は、前端縁部２１と内面シート２とによって画成される前部開口３３と、後端縁部２２と内面シート２とによって画成される後部開口３４とを有する。股下域６の最下部である底部６ａにおいては、内面シート２とセパレータ２０とが極めて接近した状態にあるかまたは接触した状態にある。
【００２６】
図４は、図３のＩＶ−ＩＶ線矢視図であって、図１のおむつ１を胴周り開口１１の上方から見た図でもある。セパレータ２０の前端縁部２１は、幅方向Ｘの寸法が接合部３５によって二等分されている。その前端縁部２１は、おむつ着用者（図示せず）の右脚に密着可能な右前端縁部２１Ｒと左脚に密着可能な左前端縁部２１Ｌとを有し、これらの端縁部２１Ｒ，２１ＬがＶ字形を画いている。後端縁部２２も幅方向Ｘの寸法が接合部３５によって二等分されている。その後端縁部２２は、おむつ着用者の右脚に密着可能な右後端縁部２２Ｒと左脚に密着可能な左後端縁部２２Ｌとを有し、これらの端縁部２２Ｒ，２２ＬがＶ字形を画いている。肌被覆部１０における脚周り開口１２の周縁部１３には、図示の如く右脚用周縁部１３Ｒと左脚用周縁部１３Ｌとがあり、それぞれの周縁部１３Ｒ，１３Ｌが、セパレータ２０の側縁部２３に対して接合していない上方縁部１５ａと、側縁部２３に対して接合している下方縁部１５ｂとを有しており（図３を併せて参照）、図では上方縁部１５ａと下方縁部１５ｂとに相当する範囲のそれぞれが双頭矢印ＡとＢとによって示されている。
【００２７】
かように形成されているパンツ型おむつ１を着用するときの手順とパンツ型おむつ１の挙動とは次のようになる。まず、前後胴周り域７，８を前後方向Ｙへ離間させて、胴周り開口１１を図１，４のように大きく広げると、セパレータ２０における前端縁部２１は右前端縁部２１Ｒと左前端縁部２１Ｌとが接合部３５を中央にしてＶ字形を画くように変形し、同じように後端縁部２２は右後端縁部２２Ｒと左後端縁部２２ＬとがＶ字形を画くように変形する。これらの変形に伴って、前部開口３３と後部開口３４とが自動的に大きく口を開ける（図３参照）。また、右前端縁部２１Ｒと右後端縁部２２Ｒとが大きく離間すると同時に、左前端縁部２１Ｌと左後端縁部２２Ｌも大きく離間する。次に、おむつ着用者（図示せず）は、脚周り開口１２における右脚用周縁部１３Ｒのうちの上方縁部１５ａとセパレータ２０における右前端縁部２１Ｒとセパレータ２０における右後端縁部２２Ｒとが画成する右脚用開口部４１Ｒへ右脚を進入させる。続けて、その右脚を右脚用周縁部１３Ｒの上方縁部１５ａと下方縁部１５ｂとが画成する脚周り開口１２へ進入させる。さらに続けて、左脚を左脚用周縁部１３Ｌのうちの上方縁部１５ａと左前端縁部２１Ｌと左後端縁部２２Ｌとが画成する左脚用開口部４１Ｌへ進入させる。その左脚をさらに左脚用周縁部１３Ｌの上方縁部１５ａと下方縁部１５ｂとが画成する脚周り開口１２へ進入させる。このようにして着用したパンツ型おむつ１において、それぞれの脚周り開口１２の周縁部１３、即ち右脚用周縁部１３Ｒと左脚用周縁部１３Ｌとは、開口１２の周り方向へ弾性的に伸長・収縮可能であり、セパレータ２０の前端縁部２１と後端縁部２２とは幅方向Ｘへ弾性的に伸長・収縮可能であるから、右脚のつけ根近傍では、上方縁部１５ａと右前端縁部２１Ｒと右後端縁部２２Ｒとが脚周りに弾性的に密着して、右脚周りにおける体液の漏れを防ぐ第１次シール５１Ｒを形成する。第１次シール５１Ｒの下方では、下方縁部１５ｂと上方縁部１５ａとが一体になって右脚周りにおける体液の漏れを防ぐ第２次シール５２Ｒを形成して、この第２次シール５２Ｒが、従来のパンツ型おむつにおける脚周りのシールと同様に作用する。左脚についても同様であって、左脚のつけ根近傍では、上方縁部１５ａと左前端縁部２１Ｌと左後端縁部２２Ｌとが脚周りに弾性的に密着して、左脚用の第１次シール５１Ｌを形成する。第１次シール５１Ｌの下方では、下方縁部１５ｂと上方縁部１５ａとが一体になって左脚周りにおける第２次シール５２Ｌを形成する。着用したパンツ型おむつ１を身体に対して十分に引上げることによって、セパレータ２０における前端縁部２１と後端縁部２２とは、接合部３５の近傍が着用者の外性器と肛門との間において股部に接触する。着用後のパンツ型おむつ１においても、セパレータ２０における前端縁部２１と後端縁部２２とは、表面シート２から離間していて、前部開口３３と後部開口３４とが依然として大きく開口している。
【００２８】
このような着用状態にあるパンツ型おむつ１では、セパレータ２０が、おむつ着用者の股部を前方部分と後方部分とに明確に区分していて、その前方部分に形成された前部開口３３にはおむつ着用者の外性器が臨み、後方部分に形成された後部開口３４には肛門が臨むから、外性器からの尿は前部開口３３から確実に排泄物収容部３１へ進入し、肛門からの便は後部開口３４から確実に排泄物収容部３１へ進入するので、尿と肌との接触及び便と肌との接触を防ぐことができる。収容部３１内の尿と便とは、股下域６の底部６ａで内面シート２とセパレータ２０とが接近ないし接触していることによって、混合が妨げられる。したがって、尿と便との混合によって便の流動性が高まると便によって肌を汚し易くなる、という問題も生じない。また、尿や便は、仮に排泄物収容部３１の内部へ向かわずに脚に沿って流れることがあっても、両脚それぞれには第１次シール５１Ｒ，５１Ｌと第２次シール５２Ｒ，５２Ｌとが形成されているので、簡単にはパンツ型おむつ１から漏れるということがない。
【００２９】
パンツ型おむつ１において、内面シート２には、透液性の不織布や開孔プラスチックフィルム等を使用することができる。外面シート３には、不透液性のプラスチックフィルムや不織布、これらプラスチックフィルムと不織布との積層シート等を使用することができる。芯材４では、吸液性材料として、粉砕パルプと高吸水性ポリマー粒子との混合物を使用することができる他に、粉砕パルプを単独で使用したり、粉砕パルプと高吸水性ポリマー繊維との混合物を使用したりすることができる。また被覆シート４ｂには、ティッシュペーパに代えて不織布を使用することができる。セパレータ２０を形成するためのシート材料としては、疎水性または疎水性にして不透液性の不織布やプラスチックフィルムを使用することが好ましい。また、そのシート材料は、弾性部材２１ｂ，２２ｂの弾性的な伸長に追随して弾性的にまたは非弾性的に伸長可能なものであることが好ましい。
【００３０】
図２の展開おむつ１ａについて付言しておくと、幅方向中心線Ｄ−Ｄから前方接合域２７までの距離Ｈｆと後方接合域２８までの距離Ｈｒとが等しい。パンツ型おむつ１が乳幼児用のものである場合の好ましいセパレータ２０では、距離Ｈｆ，Ｈｒが２０〜１５０ｍｍ、より好ましくは４０〜８０ｍｍの範囲にある。加えて、好ましいセパレータ２０における接合部３５の幅方向Ｘの寸法は３〜５０ｍｍ、より好ましくは１０〜３０ｍｍの範囲にある。
【００３１】
図２の展開おむつ１ａではさらにまた、幅方向Ｘにおいて、芯材４の外側に内外面シート２，３によってサイドフラップ２５が形成されている。サイドフラップ２５は幅方向Ｘにおける曲げ剛性が芯材４のそれよりも低くて変形が容易な部分であって、内外面シート２，３と脚周り弾性部材１４ｂとによって形成される弾性域を含んでいる。それゆえ、展開おむつ１ａから得られるパンツ型おむつ１が図１の状態にあって、股下域６が前後方向Ｙにおいて湾曲していると、サイドフラップ２５は、脚周りの弾性域が収縮することに伴い、幅方向中心線Ｄ−Ｄの近傍、即ち、股下域６の底部６ａにおいて、芯材４の側縁部分を基端としてパンツ型おむつ１の上方へ向かって起立する傾向を示す。一方、セパレータ２０は側縁部２３が接着剤２４を介して脚周りの弾性域の内面に接合しているから、図２においては直状に延びているセパレータ２０の前端縁部２１と後端縁部２２とが図４に示される如くＶ字形を画くように変形すると、そのサイドフラップ２５が、これら前端縁部２１と後端縁部２２とによって前後方向中心線Ｃ−Ｃへ接近するようにパンツ型おむつ１の内側へ引っ張られ、その結果として、サイドフラップ２５は上方に向かって起立する傾向を強める。このような傾向を有するサイドフラップ２５は、着用者の脚周りに対してパンツ型おむつ１の下方からよく密着して、脚周りからの体液の漏れを防止することができる。
【００３２】
図５は、この発明の実施態様の一例を示す図２と同様な図である。図５の展開おむつ１ａでは、図２の展開おむつ１ａにおけるセパレータ２０よりも前後方向Ｙの寸法が大きいセパレータ２０が使用されている。このセパレータ２０は、前端縁部２１が前胴周り域７にあって、側縁部７ａと７ａとの間に延びている。また、後端縁部２２が後胴周り域８にあって、側縁部８ａと８ａとの間に延びている。かかるセパレータ２０は、その両側縁部２３が、ホットメルト接着剤２４を介して肌被覆部１０における股下域６の両側縁部１３と前後胴周り域７，８における両側縁部７ａ，８ａとに接合している。セパレータ２０はさらに、幅方向中心線Ｄ−Ｄに沿って股下域６を横断する部分がホットメルト接着剤２４を介して内面シート２に接合しており、セパレータ２０と内面シート２とで形成する排泄物収容部３１が前方収容部３１ａと後方収容部３１ｂとに二分されている。展開おむつ１ａを幅方向中心線Ｄ−Ｄに沿って折り重ねて側縁部７ａと８ａとを接合し、セパレータ２０の前端縁部２１の接合部位２７と後端縁部２２の接合部位２８とが接合部３５（図２参照）を形成した状態のパンツ型おむつ１では、脚周り弾性部材１４ｂを含む股下域６の両側縁部１３が、図１，３に示される脚周り開口１２を画成して、図３における第２次シール５２Ｒ，５２Ｌとして機能することが可能である。また、前端縁部２１と後端縁部２２とは、幅方向中心線Ｄ−Ｄから等しい距離にあるので、肌被覆部１０の側縁部７ａと８ａとが接合すると、その接合した側縁部７ａ，８ａから前端縁部２１と後端縁部２２との接合部３５へ至る間の右脚用前端縁部２１Ｒと右脚用後端縁部２２Ｒとの間に右脚を進入させることが可能になり、左脚用前端縁部２１Ｌと左脚用後端縁部２２Ｌとの間に左脚を進入させることが可能になる。右脚用前端縁部２１Ｒと右脚用後端縁部２２Ｒとは右脚の脚周りに弾性的に密着し、左脚用前端縁部２１Ｌと左脚用後端縁部２２Ｌとは左脚の脚周りに弾性的に密着して、右脚用および左脚用の第１次シール５１Ｒ，５１Ｌとして機能する。ただし、図５の展開おむつ１ａから形成されるべき第１次シール５１Ｒ，５１Ｌと第２次シール５２Ｒ，５２Ｌとは、図４の場合と異なっていて、互いに交差するということがない。また、この展開おむつ１ａから形成されるパンツ型おむつ１では、排泄物収容部３１が接着剤２４を介して内面シート２に接合しているセパレータ２０によって前後に二分されているので、尿と便とが混ざり合うということがない。
【００３３】
図６，７は、この発明の実施態様の一例を示す図２，３と同様な図である。ただし、図６の展開おむつ１ａにおけるセパレータ２０には、図２に示された前方弾性部材２１ｂと後方弾性部材２２ｂとが使用されていない。またセパレータ２０の前端縁部２１と後端縁部２２とが、これら端縁部２１，２２とは別体の粘着性連結部材６１によって接合される。図６のセパレータ２０には、弾性的に伸長・収縮可能な不織布やプラスチックフィルム等の弾性シート材料を使用することが好ましいが、非弾性シート材料を使用することも可能である。弾性シート材料でセパレータ２０が形成される場合には、セパレータ２０にしわが生じ難く、肌とセパレータ２０のしわとの間から体液が思わぬ方向へ流れるということがない。連結部材６１は、図２における接合部位２７，２８を接着剤等で接合して接合部位３５を得ることに代えて使用されるもので、図７で明らかなように、断面形状が逆Ｖ字形であって、前端縁部２１に接合剤６２を介して接合する前部６３と、後端縁部２２に接合剤６２を介して接合する後部６４と、これら両部６３，６４の間に介在する中間部６５とを有する。
【００３４】
図８は、連結部材６１の斜視図である。連結部材６１は、不織布や織布、紙、プラスチックフィルム等のシート材料を中間部６５において折り重ねることによって形成されていて、前部６３と後部６４との外面には接着剤や粘着剤等の接合剤６２が塗布されている。前部６３と後部６４とは、連結部材６１の幅方向Ｘの中央部分６３ａ，６４ａにおいて中間部６５を介してつながっているが、幅方向Ｘの両側部分６３ｂ，６３ｃ，６４ｂ，６４ｃでは連結部材６１に形成されたスリット６６，６７によって分離されている。連結部材６１の寸法に格別の規定はないが、幅方向Ｘにおいて、両側部分６３ｂ，６３ｃ，６４ｂ，６４ｃの寸法を大きくすれば、図６のおむつ１ａを折り重ねてセパレータ２０の前端縁部２１と後端縁部２２とを接合するときの作業が容易になる。しかもそのときに、中間部６５の幅方向Ｘにおける寸法を徒に大きくすることがなければ、前端縁部２１と後端縁部２２とを連結部材６１を使用して一体化しても、これら両端縁部２１，２２の自由な動きを連結部材６１によって妨げるということがない。連結部材６１はまた、スリット６６，６７の前後方向Ｙにおける幅を大きくすることによって、中間部６５における前後方向Ｙの寸法を大きくすることができる。換言すると、前後方向Ｙにおける中間部６５の寸法を調整することによって、パンツ型おむつ１におけるセパレータ２０ａの前端縁部２１と後端縁部２２との間隔を調整することができる。
【００３５】
図９もまた、この発明の実施態様の一例を示す図２と同様な図である。図７の展開おむつ１ａにおけるセパレータ２０では、幅方向Ｘにおける寸法が図２のそれよりも短く作られている。セパレータ２０の前端縁部２１や後端縁部２２を脚周りの広い範囲にわたって密着させる必要がない場合には、このように幅方向Ｘの寸法が短いセパレータ２０を使用することが可能である。
【００３６】
図１０もまた、この発明の実施態様の一例を示す図７と同様な図である。図８のセパレータ２０は、前後方向Ｙにおいて寸法Ｗだけ離間している前方セパレータ２０ａと後方セパレータ２０ｂとに二分されている。前方セパレータ２０ａは、前端縁部２１と、股下域６の底部６ａにおいて前端縁部２１に並行して幅方向Ｘへ延びる前方底縁部４１と、両側縁部２３ａとを有し、前方底縁部４１と両側縁部２３ａとがホットメルト接着剤２４を介して内面シート２に接合するとともに、内面シート２と協働して前方収容部３１ａを形成している。後方セパレータ２０ｂは、後端縁部２２と、底部６ａにおいて後端縁部２２に並行して幅方向Ｘへ延びる後方底縁部４２と、両側縁部２３ｂとを有し、後方底縁部４２と両側縁部２３ｂとがホットメルト接着剤２４を介して内面シート２に接合している。この展開おむつ１ａでは、底部６ａにおいて内面シート２が前後方向Ｙへ寸法Ｗだけ露出しているので、体液が前方収容部３１ａや後方収容部３１ｂへ流入せずにセパレータ２０の内面を伝って流れても、その体液を底部６ａにおいて速やかに吸収することができる。
【００３７】
図１１は、この発明の実施態様の一例を示す図１と同様な図である。ただし、図９のパンツ型おむつ１では、後胴周り域８の側縁部８ａにファスナ４６が取り付けられている。ファスナ４６は、側縁部８ａの上下両端部にまで延びていて、前胴周り域７における外面シート３に対して剥離可能かつ再接合可能な状態で接合している。このパンツ型おむつ１を乳幼児にはかせるときには、図示の如く予めパンツ形状に整えられているおむつ１の胴周り開口１１を大きく広げて、図１のパンツ型おむつ１の場合と同様の手順に従う。着用後のパンツ型おむつ１は、前胴周り域７からファスナ４６を剥離することによって、排泄物の有無を点検したり、排泄物で汚れたおむつを脱がせたりすることが容易になる。
【００３８】
図１２は、展開おむつ１ａについての部分破断平面図である。この展開おむつ１ａは、図９のパンツ型おむつ１のファスナ４６を前身頃７から剥離し、さらにセパレータ２０における前方接合域２７と後方接合域２８とが形成していた接合部（図３参照）の接合を外して、股下域６と前後胴周り域７，８とを幅方向Ｘと前後方向Ｙとへ伸展することによって得られるものである。展開おむつ１ａはほぼ砂時計型に形成された肌被覆部１０と、肌被覆部１０の内面に取り付けられた体液吸収部３０とによって形成されている。肌被覆部１０は、股下域６と、前胴周り域７と、後胴周り域８とを有し、後胴周り域８の両側縁部８ａにはファスナ４６が取り付けられている。肌被覆部１０は、ファスナ４６の他に、内面を形成する第１シート４１、外面を形成する第２シート４２、これら第１，第２シート４１，４２の少なくとも一方に伸長状態で取り付けられた胴周り弾性部材１４ａと脚周り弾性部材１４ｂを含んでいる。体液吸収部３０は、本体部分４７と、防漏堤４８と、セパレータ２０とを含んでいる。本体部分４７はほぼ矩形に形成されており、股下域６から前胴周り域７と後胴周り域８とにまで延びていて、ホットメルト接着剤４９を介して肌被覆部１０に接合している。防漏堤４８は、体液吸収部３０の両側において前後方向Ｙへ延びるように形成されている。防漏堤４８どうしの間には、セパレータ２０が設けられている。セパレータ２０は、前後方向中心線Ｃ−Ｃと幅方向中心線Ｄ−Ｄとに関して対称に形成されていて、前後方向中心線Ｃ−Ｃ上に前方接合域２７と後方接合域２８とを有する。
【００３９】
図１３，１４，１５，１６は、体液吸収部３０の部分破断斜視図と、その斜視図のＸＩＶ−ＸＩＶ線切断面を示す図と、ＸＶ−ＸＶ線切断面を示す図と、ＸＶＩ−ＸＶＩ線切断面を示す図である。体液吸収部３０の両側に形成された一対の防漏堤４８は、不織布、より好ましくは難透液性の不織布、さらに好ましくは不透液性の不織布をＺ字型および逆Ｚ字型に折り畳むことにより形成されていて、前後両端部がホットメルト接着剤４９を介して本体部分４７の内面に固定されている。これら図１４〜１６に示されているように、本体部分４７では、体液吸収性の芯材４が透液性のトップシート５２と不透液性のバックシート５３とによってサンドウィッチされている。トップシート５２とバックシート５３とは、芯材４の周縁から延出する部分において重なり合い接着または溶着によって互いに接合している。Ｚ字型または逆Ｚ字型に折り畳まれている防漏堤４８は、底辺４８ａと頂辺４８ｃとこれら両辺４８ａ，４８ｃをつなぐ中間辺４８ｂとを有し、底辺４８ａがホットメルト接着剤５６を介してバックシート５３に接合している。図１４においては、中間辺４８ｂがホットメルト接着剤５６を介してトップシート５２に接合し、頂辺４８ｃがホットメルト接着剤５６を介して中間辺４８ｂに接合している。図１５においては、防漏堤４８の底辺４８ａがバックシート５３に接合していて、中間辺４８ｂと頂辺４８ｃとが仮想線の矢印Ｘで示される方向へ起立できるように折り畳まれている。図１６においては、トップシート５２の上面にセパレータ２０が重なっており、そのセパレータ２０の側縁部２３が前後方向中心線Ｃ−Ｃに向かって折り返され、その折り返された部分２３ａがホットメルト接着剤２４を介してトップシート５２に接合している。図１６の防漏堤４８は、底辺４８ａがバックシート５３に接合していて、中間辺４８ｂと頂辺４８ｃとが図１５と同様に仮想線の如く起立できるように折り畳まれている。防漏堤４８にはまた、その中間辺４８ｂに弾性部材５７ａがホットメルト接着剤（図示せず）を介して伸長状態で取り付けられており、頂辺４８ｃの縁に、弾性部材５７ｂがホットメルト接着剤（図示せず）を介して伸長状態で取り付けられている。セパレータ２０は、側縁部２３の他に、幅方向中心線Ｄ−Ｄ上の部分もホットメルト接着剤２４を介してトップシート５２に接合している。セパレータ２０の前端縁部２１と後端縁部２２とには、弾性部材２１ｂと２２ｂとが伸長状態で取り付けられている。セパレータ２０は、トップシート５２と協働して、前部開口３３と後部開口３４とを有する排泄物収容部３１を形成している。
【００４０】
このように形成されている図１２の展開おむつ１ａは、体液吸収部３０を内側にして、幅方向中心線Ｄ−Ｄに沿って折曲して前胴周り域７と後胴周り域８と重ね合わせるとともに、接合域２７と２８とを接合して接合部３５（図３参照）を形成し、ファスナ４６の接合部４６ａ（図１２参照）を前胴周り域７における側縁部７ａの外面に対して接合した状態で需用者に供給される。前胴周り域７の外面を形成する第２シート４２がプラスチックフィルムである場合には、これに接合するファスナ４６の接合部４６ａを粘着剤によって形成することが好ましく、第２シート４２がメカニカルファスナのフック部材の着脱を可能にする不織布等である場合の接合部４６ａは、そのフック部材によって形成することが好ましい。
【００４１】
図１２の展開おむつ１ａにおいて前後胴周り域７，８を重ね合わせるとともにファスナ４６でこれら両胴周り域７，８を連結して得られるパンツ型おむつ１では、セパレータ２０もまた幅方向中心線Ｄ−Ｄに沿って折り重ねられた状態にある。このパンツ型おむつ１において、前後胴周り域７，８を前後方向へ離間させて、胴周り開口１１を図１１の如くに広げると、図１２では幅方向中心線Ｄ−Ｄに平行して延びていたセパレータ２０の前端縁部２１と後端縁部２２とが互いに接合している接合域２７，２８を中央にしてＶ字形を画くように変形する（図４参照）。その変形に伴って、前端縁部２１とトップシート５２とが画成している排泄物収容部３１の前部開口３３が自動的に開き、後端縁部２２とトップシート５２とが画成している排泄物収容部３１の後部開口３４も自動的に開く。さらにはまた、図１６に示されているように、セパレータ２０の側縁部２３が仮想線の矢印Ｘで示される方向へ動いて、防漏堤４８の中間辺４８ｂと頂辺４８ｃとを下方から押し上げるようにしてこれら両辺４８ｂ，４８ｃが仮想線の如く起立することを促進することができる。
【産業上の利用可能性】
【００４２】
この発明によれば、便によって肌を汚すということのない使い捨てのパンツ型おむつの製造が可能になる。
【図面の簡単な説明】
【００４３】
【図１】パンツ型おむつの部分破断斜視図。
【図２】パンツ型おむつを分解し、伸展した状態を示す図。
【図３】図１のＩＩＩ−ＩＩＩ線断面図。
【図４】図３のＩＶ−ＩＶ線矢視図。
【図５】実施態様の一例を示す図２と同様な図。
【図６】実施態様の他の一例を示す図２と同様な図。
【図７】図６の実施態様についての図３と同様な図。
【図８】連結部材の斜視図。
【図９】実施態様の他の一例を示す図２と同様な図。
【図１０】実施態様の他の一例を示す図７と同様な図。
【図１１】実施態様の他の一例を示す図１と同様な図。
【図１２】図１１のパンツ型おむつから得られるおむつの部分破断平面図。
【図１３】体液吸収部の部分破断斜視図。
【図１４】図１３のＸＩＶ−ＸＩＶ線切断面を示す図。
【図１５】図１３のＸＶ−ＸＶ線切断面を示す図。
【図１６】図１３のＸＶＩ−ＸＶＩ線切断面を示す図。
【符号の説明】
【００４４】
１    パンツ型おむつ
４    体液吸収部
６    股下域
７    前胴周り域
８    後胴周り域
１０    肌被覆部
１２    脚周り開口
１３    側縁部
１４ｂ    脚周り弾性部材
２０    セパレータ
２０ａ    前方シート片（前方セパレータ）
２０ｂ    後方シート片（後方セパレータ）
２１    前端縁部（前方弾性域）
２２    後端縁部（後方弾性域）
４１    前方底縁部
４２    後方底縁部
Ｃ−Ｃ    前後方向中心線
Ｘ    幅方向
Ｙ    前後方向
【図１】
2007296314.tif 000003
【図２】
2007296314.tif 000004
【図３】
2007296314.tif 000005
【図４】
2007296314.tif 000006
【図５】
2007296314.tif 000007
【図６】
2007296314.tif 000008
【図７】
2007296314.tif 000009
【図８】
2007296314.tif 000010
【図９】
2007296314.tif 000011
【図１０】
2007296314.tif 000012
【図１１】
2007296314.tif 000013
【図１２】
2007296314.tif 000014
【図１３】
2007296314.tif 000015
【図１４】
2007296314.tif 000016
【図１５】
2007296314.tif 000017
【図１６】
2007296314.tif 000018